(57)【要約】【課題】プラズマディスプレイパネル及びこれを備えた平板表示装置を提供する。【解決手段】相互対向する面間に複数の放電空間２２０を含む一対の基板２０１、２０２と、放電空間２２０の側面に面放電を起こす複数の電極２０６、２０７を備えることによって放電面及び放電空間の極大化、開口率及び透過率の大幅な向上、発光効率の極大化のような効果を達成した立体面放電が可能なプラズマディスプレイパネル及びこれを備えた平板表示装置。【選択図】図２Ａ
2005135893.tif 000002
【特許請求の範囲】
【請求項１】
所定の間隔に離れて相互対向する一対の基板と、
前記一対の基板間に、所定のパターンに形成された蛍光体と、
前記一対の基板間で前記基板と垂直な方向に対して所定の角度を有する同じ平面上に同じ電位を印加させる電極層と、を備えるプラズマディスプレイパネル。
【請求項２】
前記電極層は、内部に放電が起りうる空間をさらに備えることを特徴とする請求項１に記載のプラズマディスプレイパネル。
【請求項３】
前記電極層は、環状に構成されたことを特徴とする請求項１に記載のプラズマディスプレイパネル。
【請求項４】
前記電極層は、前記基板と垂直な方向に対して垂直な平面上に配置されていることを特徴とする請求項１に記載のプラズマディスプレイパネル。
【請求項５】
前記電極層と所定の間隔だけ離隔されて位置する他の電極層をさらに備えることを特徴とする請求項１に記載のプラズマディスプレイパネル。
【請求項６】
所定の間隔に離れて相互対向する一対の基板と、
前記一対の基板間に、所定のパターンに形成された蛍光体と、
前記一対の基板間で前記基板と垂直な方向に対して所定の角度を有する平面上に位置し、交流電圧の印加によって放電を維持させる少なくとも一つの電極と、
前記放電維持電極のうち何れか一つの電極との間に印加される電圧によって放電を開始させる電極と、を備えるプラズマディスプレイパネル。
【請求項７】
前記電極層は、内部に放電が起りうる空間をさらに備えることを特徴とする請求項６に記載のプラズマディスプレイパネル。
【請求項８】
前記電極層は、環状に構成されたことを特徴とする請求項６に記載のプラズマディスプレイパネル。
【請求項９】
相互対向する面間に複数の放電空間を含む一対の基板と、
前記放電空間を形成する面のうち前記一対の基板の相互対向する面を除外した面で交流電圧の印加によって放電を維持させる少なくとも一つの電極と、を備えたプラズマディスプレイパネル。
【請求項１０】
前記電極が前記一対の基板間に位置することを特徴とする請求項９に記載のプラズマディスプレイパネル。
【請求項１１】
前記電極が前記基板に垂直な方向に配置されたことを特徴とする請求項９に記載のプラズマディスプレイパネル。
【請求項１２】
前記電極が前記基板に傾いた方向に配置されたことを特徴とする請求項９に記載のプラズマディスプレイパネル。
【請求項１３】
前記電極が前記基板に対して平行な方向に配置されたことを特徴とする請求項９に記載のプラズマディスプレイパネル。
【請求項１４】
前記電極が前記基板から前記放電空間の中央側に延びたことを特徴とする請求項９に記載のプラズマディスプレイパネル。
【請求項１５】
所定の間隔に離れて相互対向する一対の基板と、
前記基板間の空間を複数の放電空間に区画する側壁と、
前記放電空間を形成する面のうち前記一対の基板の相互対向する面を除外した面に交流電圧の印加によって放電を維持させる少なくとも一つの電極と、を備えたプラズマディスプレイパネル。
【請求項１６】
前記電極は、前記側壁に位置することを特徴とする請求項１５に記載のプラズマディスプレイパネル。
【請求項１７】
前記電極は、前記側壁に実質的に平行な方向に配置されたことを特徴とする請求項１５に記載のプラズマディスプレイパネル。
【請求項１８】
前記電極は、前記側壁に傾いた方向に配置されたことを特徴とする請求項１５に記載のプラズマディスプレイパネル。
【請求項１９】
相互対向する面間に複数の放電空間を含む一対の基板と、
前記放電空間内に位置し、前記基板に対して垂直な軸と会う相異なる２つの面に位置して交流電圧の印加によって放電を維持させる複数の電極と、を備えたプラズマディスプレイパネル。
【請求項２０】
前記電極は、前記基板に対して垂直な方向に配置されたことを特徴とする請求項１９に記載のプラズマディスプレイパネル。
【請求項２１】
前記電極は、前記基板に対して傾いた方向に配置されていることを特徴とする請求項１９に記載のプラズマディスプレイパネル。
【請求項２２】
所定の間隔に離れて相互対向する一対の基板間に形成された複数の放電空間に前記基板と平行せず、交流電圧の印加によって放電を維持させる面を備えたプラズマディスプレイパネル。
【請求項２３】
前記放電を起こす面が前記放電空間の側面であることを特徴とする請求項２２に記載のプラズマディスプレイパネル。
【請求項２４】
前記放電を起こす面が前記基板に垂直な方向に配置されたことを特徴とする請求項２２に記載のプラズマディスプレイパネル。
【請求項２５】
前記放電を起こす面が前記基板に傾いた方向に配置されたことを特徴とする請求項２２に記載のプラズマディスプレイパネル。
【請求項２６】
前記放電を起こす面が前記基板に平行な方向に配置されたことを特徴とする請求項２２に記載のプラズマディスプレイパネル。
【請求項２７】
前記放電を起こす面が前記基板に垂直な軸を取り囲むリング状よりなることを特徴とする請求項２２に記載のプラズマディスプレイパネル。
【請求項２８】
所定の間隔に離れて相互対向する一対の基板と、
前記一対の基板間に形成された空間を複数の放電空間に区画する側壁と、
前記側壁に位置し、前記放電空間で交流電圧の印加によって放電を維持させる少なくとも一つの電極と、
前記放電空間に可視光線を発生させる蛍光体と、を備えたプラズマディスプレイパネル。
【請求項２９】
所定の間隔に離れて相互対向する一対の基板と、
前記一対の基板間に形成された空間を複数の放電空間に区画する側壁と、
前記側壁に位置し、前記放電空間で交流電圧の印加によって放電を維持させる少なくとも一つの電極と、
前記放電維持電極の何れか一つの電極との間に印加された電圧によって放電を開始させる少なくとも一つのアドレス電極と、を備えたプラズマディスプレイパネル。
【請求項３０】
前記アドレス電極は、前記一対の基板のうち何れか一つの基板上に位置することを特徴とする請求項２９に記載のプラズマディスプレイパネル。
【請求項３１】
前記アドレス電極が位置しない基板に位置し、放電空間で可視光線を発生させる蛍光体をさらに備えることを特徴とする請求項３０に記載のプラズマディスプレイパネル。
【請求項３２】
前記アドレス電極は前記側壁に位置することを特徴とする請求項２９に記載のプラズマディスプレイパネル。
【請求項３３】
前記基板上に放電空間で可視光線を発生させる蛍光体をさらに備えることを特徴とする請求項３２に記載のプラズマディスプレイパネル。
【請求項３４】
請求項１ないし３３のうち何れか１項に記載のプラズマディスプレイパネルを備えた平板表示装置。
【発明の詳細な説明】
【技術分野】
【０００１】
本発明はガス放電を利用して文字やイメージを表現するプラズマディスプレイパネルに係り、さらに詳細には放電が発生する面が拡大されたプラズマディスプレイパネル及びこれを備えた平板表示装置に関する。
【背景技術】
【０００２】
最近、平板表示装置としてプラズマディスプレイパネルを採用した装置は大画面を有しつつ、高画質、超薄型、軽量化及び光視野角の優秀な特性を有しており、他の平板ディスプレイ装置に比べて製造方法が簡単でかつ大型化が容易で、次世代大型平板表示装置として脚光を浴びている。
【０００３】
このようなプラズマディスプレイパネルは、印加される放電電圧によって直流（ＤＣ）型、交流（ＡＣ）型、及び混合型に分類され、電極配列によって対向放電型及び面放電型に分類される。
【０００４】
直流型プラズマディスプレイパネルは、全ての電極が放電空間に露出される構造であって、対応する電極間に電荷の移動が直接的になされる。交流型プラズマディスプレイパネルは、少なくとも一つの電極が誘電層で覆い囲まれ、対応する電極間に直接的に電荷が移動されない代わりに壁電荷の電界によって放電が行われる。
【０００５】
直流型プラズマディスプレイパネルでは、対応する電極間に電荷が直接的に移動されるので、電極の損傷がひどくなる問題点があり、最近には交流型、特に３電極面放電構造を有する交流型プラズマディスプレイパネルが一般的に採用されてきた（例えば特許文献１）。
【０００６】
しかし、このような交流型３電極面放電プラズマディスプレイパネルを含む従来の面放電プラズマディスプレイパネル１００は、図１に示されたように、放電空間の蛍光体１１０から発光した可視光線が通過する前面基板１０１に、放電を起こす電極であるＸ、Ｙ電極１０７、１０８とバス電極１０８はもとより、その上に順次に形成された誘電体１０９及び保護層１１１が存在しているので、これらの要素によって可視光線の透過率が６０％程度になる重大な問題点を有していた。
【０００７】
また、従来の面放電プラズマディスプレイパネル１００では、放電を起こす電極が放電空間の上面、すなわち、可視光線が通過する前面基板１０１の内側面に形成されて放電がその内側面で発生して拡散するので、従来の面放電プラズマディスプレイパネル１００では発光効率が低くなる本質的な問題点を有していた。さらに、従来の面放電プラズマディスプレイパネル１００では長時間使用する場合、放電ガスの荷電粒子が電界によって蛍光体にイオンスパッタリングを起こすことによって永久残像をもたらす問題点があった。
【発明の開示】
【発明が解決しようとする課題】
【０００８】
本発明は上記のような従来のプラズマディスプレイパネルの色々な問題点を画期的に解決するためのものであって、本発明は従来のプラズマディスプレイパネルとは異なる構造のプラズマディスプレイパネル及びこれを備えた平板表示装置を提供することを目的とする。
【０００９】
この他に、本発明は以下の目的を有する。
【００１０】
本発明の他の目的は、従来のプラズマディスプレイパネルでは達成できなかった開口率及び透過率を画期的に向上させうるプラズマディスプレイパネル及びこれを備えた平板表示装置を提供することである。
【００１１】
本発明のさらに他の目的は、放電面を大幅に拡大することによって放電領域を画期的に拡大させうるプラズマディスプレイパネル及びこれを備えた平板表示装置を提供することである。
【００１２】
本発明のさらに他の目的は、放電によるプラズマを放電空間の所定部分、例えば中央部に集中させることによってプラズマの空間電荷を効率的に利用できるプラズマディスプレイパネル及びこれを備えた平板表示装置を提供することである。
【００１３】
本発明のさらに他の目的は、発光効率を画期的に改善したプラズマディスプレイパネル及びこれを備えた平板表示装置を提供することである。
【００１４】
本発明のさらに他の目的は、永久残像現象を画期的に減らせるプラズマディスプレイパネル及びこれを備えた平板表示装置を提供することである。
【００１５】
本発明のさらに他の目的は、低電圧駆動が可能なプラズマディスプレイパネル及びこれを備えた平板表示装置を提供することである。
【００１６】
本発明のさらに他の目的は、放電応答速度が速く、高速駆動が可能なプラズマディスプレイパネル及びこれを備えた平板表示装置を提供することである。
【課題を解決するための手段】
【００１７】
前記目的を達成し、その他の色々な利点を有する本発明のプラズマディスプレイパネルは、所定の間隔に離れて相互対向する一対の基板と、前記一対の基板間に、所定のパターンに形成された蛍光体及び前記一対の基板間で前記基板と垂直な方向に対して所定の角度を有する同じ平面上に同じ電位を印加させる電極層と、を備える。
【００１８】
望ましくは、前記電極層は、内部に放電が起りうる空間をさらに備える。
【００１９】
望ましくは、前記電極層は、環状に構成される。
【００２０】
望ましくは、前記電極層は、前記基板と垂直な方向に対して垂直な平面上に配置されうる。
【００２１】
望ましくは、前記電極層と所定の間隔だけ離隔されて位置する他の電極層がさらに備わりうる。
【００２２】
本発明の他の側面のプラズマディスプレイパネルは、所定の間隔に離れて相互対向する一対の基板と、前記一対の基板間に所定のパターンに形成された蛍光体と、前記一対の基板間で前記基板と垂直な方向に対して所定の角度を有する平面上に位置し、交流電圧の印加によって放電を維持させる少なくとも一つの電極と、前記放電維持電極のうち何れか一つの電極との間に印加される電圧によって放電を開始させる電極と、を備える。
【００２３】
望ましくは、前記電極層は、内部に放電が起りうる空間をさらに備える。
【００２４】
望ましくは、前記電極層は、環状に構成される。
【００２５】
本発明のさらに他の側面のプラズマディスプレイパネルは、相互対向する面間に複数の放電空間を含む一対の基板と、前記放電空間を形成する面のうち前記一対の基板の相互対向する面を除外した面で交流電圧の印加によって放電を維持させる少なくとも一つの電極を備える。
【００２６】
前記電極は、前記一対の基板間に位置できる。
【００２７】
前記電極が前記基板に垂直な方向に配置されうる。
【００２８】
前記電極が前記基板に傾いた方向に配置されうる。
【００２９】
前記電極が前記基板に対して平行な方向に配置されうる。
【００３０】
前記電極が前記基板から前記放電空間の中央側に延びることができる。
【００３１】
本発明のさらに他の側面のプラズマディスプレイパネルは、所定の間隔に離れて相互対向する一対の基板と、前記基板間の空間を複数の放電空間に区画する側壁と、前記放電空間を形成する面のうち前記一対の基板の相互対向する面を除外した面に交流電圧の印加によって放電を維持させる少なくとも一つの電極と、を備える。
【００３２】
前記電極は、前記側壁に位置できる。
【００３３】
前記電極は、前記側壁に実質的に平行な方向に配置されうる。
【００３４】
前記電極は、前記側壁に傾いた方向に配置されうる。
【００３５】
本発明のさらに他の側面のプラズマディスプレイパネルは、相互対向する面間に複数の放電空間を含む一対の基板と、前記放電空間内に位置し、前記基板に対して垂直な軸と会う相異なる２つの面に位置して交流電圧の印加によって放電を維持させる複数の電極と、を備える。
【００３６】
前記電極は、前記基板に対して垂直な方向に配置されうる。
【００３７】
前記電極は、前記基板に対して傾いた方向に配置されうる。
【００３８】
本発明のさらに他の側面のプラズマディスプレイパネルは、所定の間隔に離れて相互対向する一対の基板間に形成された複数の放電空間に前記基板と平行せず、交流電圧の印加によって放電を維持させる面を備える。
【００３９】
前記放電を起こす面が前記放電空間の側面でありうる。
【００４０】
前記放電を起こす面が前記基板に垂直な方向に配置されうる。
【００４１】
前記放電を起こす面が前記基板に傾いた方向に配置されうる。
【００４２】
前記放電を起こす面が前記基板に平行な方向に配置されうる。
【００４３】
前記放電を起こす面が前記基板に垂直な軸を囲むリング状になりうる。
【００４４】
本発明のさらに他の側面のプラズマディスプレイパネルは、所定の間隔に離れて相互対向する一対の基板と、前記一対の基板間に形成された空間を複数の放電空間に区画する側壁と、前記側壁に位置し、前記放電空間で交流電圧の印加によって放電を維持させる少なくとも一つの電極と、前記放電空間で可視光線を発生させる蛍光体と、を備える。
【００４５】
本発明のさらに他の側面のプラズマディスプレイパネルは、所定の間隔に離れて相互対向する一対の基板と、前記一対の基板間に形成された空間を複数の放電空間に区画する側壁と、前記側壁に位置し、前記放電空間で交流電圧の印加によって放電を維持させる少なくとも一つの電極と、前記放電維持電極の何れか一つの電極との間に印加された電圧によって放電を開始させる少なくとも一つのアドレス電極と、を備える。
【００４６】
ここで、前記アドレス電極は、前記一対の基板のうち何れか一つの基板上に位置できる。
【００４７】
前記プラズマディスプレイパネルは、前記アドレス電極が位置しない基板に位置し、放電空間に可視光線を発生させる蛍光体をさらに備えうる。
【００４８】
ここで、前記アドレス電極は、前記側壁に位置できる。
【００４９】
前記プラズマディスプレイパネルは、前記基板上に放電空間で可視光線を発生させる蛍光体をさらに備えうる。
【００５０】
本発明のさらに他の側面は、前述したようなプラズマディスプレイパネルを備えた平板表示装置を提供する。
【発明の効果】
【００５１】
本発明のプラズマディスプレイパネル及びこれを備えた平板表示装置は、次のような効果を含んで多様な効果を有する。
【００５２】
第一に、前面基板の開口率及び可視光線透過率が画期的に向上する。本発明のプラズマディスプレイパネル及びこれを備えた平板表示装置では、放電空間で発光した可視光線が前面基板を通過するが、可視光線が通過する前面基板の部分には基板以外に他の要素が存在していないので、開口率が画期的に向上でき、透過率を従来の６０％以下から約９０％まで上昇させうる。
【００５３】
第二に、放電が発生する面を大幅拡大させうる。本発明のプラズマディスプレイパネル及びこれを備えた平板表示装置では、面放電が放電空間を形成する全ての側面で発生しうるので、放電面が従来に比べて約４倍以上拡大されうる。
【００５４】
第三に、放電領域を大幅拡大させうる。本発明のプラズマディスプレイパネル及びこれを備えた平板表示装置では、放電が放電空間を形成する側面で発生して放電空間の中央部に拡散されるので、放電領域が従来に比べて非常に向上することによって放電空間全体を効率的に利用できる。
【００５５】
第四に、プラズマの体積及び量を大幅増加させうる。本発明のプラズマディスプレイパネル及びこれを備えた平板表示装置では、放電が放電空間を形成する側面で発生して放電空間の中央部に拡散されるので、放電によるプラズマの体積が非常に大きくなってプラズマの量が大幅増加し、それほど紫外線を多く放出できる。
【００５６】
第五に、プラズマを放電空間の中央部に集中させうる。本発明のプラズマディスプレイパネル及びこれを備えた平板表示装置では、放電が放電空間を形成する側面で発生して放電空間の中央部に拡散され、それによりプラズマも放電空間の中央部に集中し、側面に形成された放電電極に印加された電圧による電界の影響によってプラズマが放電空間の中央部に集まる傾向を有することによって、空間電荷を放電に活用できる。
【００５７】
第六に、発光効率が大幅向上できる。本発明のプラズマディスプレイパネル及びこれを備えた平板表示装置では、前述したような効果を有するので、低い電圧でも駆動が可能になって発光効率を画期的に向上させうる。
【００５８】
第七に、高濃度Ｘｅガスを放電ガスとして使用する場合にも発光効率を向上させうる。発光効率を高めるために高濃度Ｘｅガスを放電ガスとして使用する場合、低電圧駆動が難しくなるが、本発明のプラズマディスプレイパネル及びこれを備えた平板表示装置では、前述したように低電圧駆動が可能であるので、高濃度Ｘｅガスを放電ガスとして使用しても低電圧駆動が可能になって発光効率を向上させうる。
【００５９】
第八に、放電応答速度が速く、低電圧駆動が可能になる。本発明のプラズマディスプレイパネル及びこれを備えた平板表示装置では、放電電極が可視光線の透過する前面基板に配置されておらず、放電空間の側面に配置されているので、放電電極として抵抗の大きい透明電極を使用する必要なしに抵抗が低い電極、例えば金属電極を放電電極として使用できるため、放電応答速度が速くなり、波形の歪曲なしに低電圧駆動が可能になる。
【００６０】
第九に、永久残像を源泉的に防止できる。本発明のプラズマディスプレイパネル及びこれを備えた平板表示装置では、放電空間の側面に形成された放電電極に印加された電圧による電界がプラズマを放電空間の中央部に集中させるので、長時間の放電があっても放電によって生成されたイオンが電界によって蛍光体に衝突することを防止して、イオンスパッタリングによる蛍光体の損傷に起因して発生する永久残像の問題点を源泉的に防止できる。特に、高濃度Ｘｅガスを放電ガスとして使用する場合、永久残像の問題は非常に深刻になるが、本発明の場合、このような永久残像を源泉的に防止できる。
【発明を実施するための最良の形態】
【００６１】
以下、本発明による望ましい実施例を添付された図面を参照して詳細に説明する。このような実施例及び図面は、本発明の理解を助けるためのものであって、本発明の範囲は以下の実施例または添付された図面に限定されず、特許請求の範囲によって決まらなければならない。
【実施例１】
【００６２】
本発明の実施例１によるプラズマディスプレイパネル２００は、図２Ａないし図７Ｆに示されている。以下で本発明の実施例１を説明する色々な事項は、必ずしも実施例１だけを説明するものではなく、本発明の範囲に含まれる他の実施例に適用される事項であれば、そのような事項は当業者の認識できる全ての他の実施例を説明する事項にも該当される。
【００６３】
本発明の実施例１によるプラズマディスプレイパネル２００は、図２Ａ及び図２Ｂに示されたように、所定の間隔に離れて相互対向する一対の基板、例えば、前面基板２０１と後面基板２０２とを備える。
【００６４】
前記前面基板２０１と後面基板２０２間には複数の放電空間２２０を形成する側壁、例えば、隔壁２０５が所定のパターンに配置されて設置される。
【００６５】
前記隔壁２０５は、複数の放電空間２２０を形成できるかぎり、多様なパターンの隔壁２０５、例えばストライプのような開放型隔壁２０５はもとより、ワッフル、マトリクス、デルタのような閉鎖型隔壁２０５になりうる。また、閉鎖型隔壁２０５は、放電空間２２０の横断面が、本実施例のような四角形以外にも、三角形、五角形などの多角形、または円形、楕円形になるように形成されうる。このような隔壁２０５は、放電空間２２０を形成する要素でもあるが、後述する放電電極２０６、２０７が設置される根拠となる要素でもある。したがって、隔壁２０５は、放電が開始、拡散されるように放電電極２０６、２０７が設置されうる形態であれば、いかなる形態にも形成されうる。例えば、隔壁２０５の側面２０５ａを前面基板２０１に対して垂直な方向または垂直な方向に対して何れか一側に傾いた方向に延長させることができ、側面２０５ａの一部は一側に傾いた方向に延長され、残りの一部は反対側に傾いた方向に延長される面にすることもできる。このように隔壁２０５を多様に構成することによって、隔壁２０５の側面２０５ａに放電電極２０６、２０７を多様な形状に配置して設置でき、これにより形成される多様な放電面に対応して放電を多様に開始、拡散させうる。
【００６６】
前記後面基板２０２上には放電が開始される放電空間２２０を選択する電圧を印加できるようにそれぞれの放電空間２２０に対応してアドレス電極２０３が所定のパターン、例えばストライプ状に形成される。アドレス電極２０３のパターンは、必ずしもストライプ状に限定されず、放電空間２２０の形態によって多様な形態になりうる。
【００６７】
前記アドレス電極２０３は、本実施例のように後面基板２０２に配置されることもあるが、必ずしもこれに限定されず、適切な他の所、例えば前面基板２０１、隔壁２０５に配置されることもある。また、本発明において、前記アドレス電極２０３は、不要でありうる。なぜなら、放電が開始される放電空間２２０を選択する電圧は、アドレス電極２２０がなくても放電電極２０６、２０７の適切な配置により、例えば２つの放電電極２０６、２０７が交互するように配置することによって２つの電極２０６、２０７間に放電空間２２０を選択できる電圧を印加しうるためである。
【００６８】
前記後面基板２０２上には前記アドレス電極２２０を覆うように後面誘電層２０４が形成される。本実施例では、後面誘電層２０４が構成要素として開示されているが、本発明の場合、後面誘電層２０４は、必ずしも必要な構成要素ではない。また、本実施例では、前記後面誘電層２０４上に隔壁２０５が設置されるように構成されているが、本発明の場合、必ずしもこれに限定されず、後面基板２０２上に一旦隔壁２０５が設置され、各隔壁２０５間で前記後面基板２０２上に前記アドレス電極２２０及び後面誘電層２０４が順次に配置されることもある。
【００６９】
前記隔壁２０５には、図３Ａに示されたように、放電空間２２０で放電を起こす電極、例えば、Ｘ電極２０７とＹ電極２０６とが形成されている。前記Ｘ電極２０７とＹ電極２０６とは、２つの電極間に印加された交流電圧による放電が相互連結された面で維持されうるように配置される。
【００７０】
本実施例では、隔壁２０５にＸ電極２０７及びＹ電極２０６が形成されているが、本発明の場合、前記Ｘ電極２０７とＹ電極２０６とは、放電空間２２０を形成する側面で面放電を発生させうるかぎり、多様な形態及び位置に配置されうる。例えば、図３Ａ及び図３Ｂに示されたように、Ｘ電極２０７とＹ電極２０６とは各々、隔壁２０５の側面２０５ａでリング状に隔壁２０５の周りに沿って相互平行に形成されうる。Ｘ電極２０７とＹ電極２０６間の離れた距離は、交流電圧の印加によって放電が維持されるのに適切な程度であればよいが、可能なかぎり２つの電極間の離れた距離を短くするのが低電圧駆動が可能であるので望ましい。
【００７１】
Ｘ電極２０７及びＹ電極２０６の形状は、本実施例では、リング状になっているが、本発明の場合、必ずしもこれに限定されず、多様な形状になりうる。Ｘ電極２０７及びＹ電極２０６は、多様に配置されうるが、低い電圧でも放電が容易に開始され、容易に拡散されるように配置されることが望ましい。例えば、放電が起る面が可能なかぎり広くなるようにＸ電極３０７及びＹ電極３０６ａ、３０６ｂを配置するために、図４Ａ及び図４Ｂに示されたように、リング状のＸ電極３０７を介してその上下にリング状のＹ電極３０６ａ、３０６ｂが配置されることもあり、その反対に配置されることもある。Ｘ電極３０７とＹ電極３０６ａ、３０６ｂとをこのように配置させれば、図４Ａに矢印で表示されたように、放電が起る面が放電空間３２０の高さ方向に拡大される効果を得られる。この場合、アドレス電極３０３とＹ電極３０６ｂ間に印加されるアドレス電圧を低めるために、Ｙ電極３０６ｂは、アドレス電極３０３に近くＹ電極３０６ｂを後面基板３０２側に近く配置することが望ましい。
【００７２】
また、Ｘ電極４０７とＹ電極４０６とは、図５Ａ及び図５Ｂに示されたように、相互対向する部分が放電空間４２０の側面で基板、例えば前面基板４０１に垂直な方向に配置されるように設置されることもある。すなわち、図５Ｂに示されたように、Ｘ電極４０７が放電空間４２０の側面で縦方向に配置されており、それに隣接するように所定の間隔をおいて左右両側に各々Ｙ電極４０６が配置されることによって、Ｘ電極４０７とＹ電極４０６との相互対向する部分を前面基板４０１に垂直な方向にする。この時、各放電電極４０６、４０７は、放電空間４２０の隣接する２側面に対称に配置されることが望ましい。このように構成された放電電極４０６、４０７によって、図５Ｂに示されたように、放電が起る面が放電空間４２０の周り方向に拡大される効果を得られる。
【００７３】
この他にも放電電極４０６、４０７の形状及び配置は多様になされうる。前記Ｘ電極２０７及びＹ電極２０６の形成は、多様な方法で、例えば、印刷法、サンドブラスト法、蒸着法、エッチング法でなりうる。前記Ｘ電極２０７及びＹ電極２０６は、何れも隔壁２０５の上部に位置するように配置させることが望ましい。
【００７４】
前記Ｘ電極２０７及びＹ電極２０６は、相互絶縁状態を維持できるように、例えば２つの電極間に側面誘電層２０８が位置するように配置することが望ましい。また、このような側面誘電層２０８は、Ｘ、Ｙ電極２０７、２０６を覆うように隔壁２０５上に形成されることが望ましい。
【００７５】
前記それぞれの放電空間２２０に配置されたＸ電極２０７が各々相互連結される一つの例が図６に示されている。これと類似した方法で、それぞれの放電空間２２０に配置されたＹ電極２０６も相互連結されうる。
【００７６】
前記側面誘電層２０８上には、側面誘電層２０８を保護する層として、例えばＭｇＯよるなる膜を形成することが望ましい。
【００７７】
前記側面誘電層２０８及び後面誘電層２０４、そして前面基板２０１によって形成される放電空間２２０には放電ガスから発生した紫外線によって励起されて可視光線を放出する蛍光体２１０が形成される。前記蛍光体２１０は、放電空間２２０の何れの部位にも形成されうるが、可視光線の透過率を考慮する時に、図３Ａに示されたように、後面基板２０２側である放電空間２２０の下部に放電空間２２０の底面２２０ａを覆い、側面２２０ｂの下部を覆うように配置させることが望ましい。
【００７８】
前記放電空間２２０には、Ｎｅ、Ｘｅ及びこれらの混合気体のような放電ガスが封じ込められる。本実施例を含む本発明の場合、放電面が広くなり、放電領域が拡大されて、形成されるプラズマの量が増加するので、低電圧駆動が可能になる。したがって、本発明の場合、高濃度Ｘｅガスを放電ガスとして使用しても低電圧駆動が可能になることによって発光効率を画期的に向上させうる。これにより、従来のプラズマディスプレイパネルで高濃度Ｘｅガスを放電ガスとして使用する場合に、低電圧駆動が非常に難しくなる問題点を解決した。
【００７９】
前記放電空間２２０の上側の開放部は、前面基板２０１によって密閉される。前記前面基板２０１には、従来のプラズマディスプレイパネルの前面基板に存在したＩＴＯ（Ｉｎｄｉｕｍ  Ｔｉｎ  Ｏｘｉｄｅ）膜よりなる放電電極やバス電極、これらを覆うように前面基板に形成される誘電層が存在しなくなる。したがって、本実施例を含む本発明の場合、前面基板２０１の開口率を大幅向上させうることはもとより、可視光線の透過率を９０％まで画期的に向上させて低電圧駆動を具現させうることによって発光効率を極大化できる。前記前面基板２０１の材質は、透明なものなら、何れも可能であり、例えば、ガラスを材質とすることができる。
【００８０】
本実施例によるプラズマディスプレイパネルにおいて、一つの例示的な放電過程を、図７Ａないし図７Ｆを参照して説明する。
【００８１】
まず、外部の電源から前記アドレス電極２０３とＹ電極２０６間に所定のアドレス電圧が印加されれば、発光される放電空間２２０が選択され、選択された放電空間２２０のＹ電極２０６上に壁電荷が蓄積される。
【００８２】
次いで、図７Ａに示されたように、Ｘ電極２０７に＋電圧が印加され、Ｙ電極２０６にこれより相対的に低い電圧が印加されれば、このようなＸ電極２０７とＹ電極２０６間に印加された電圧差によって壁電荷が移動する。このように壁電荷が移動しつつ放電空間２２０内の放電ガス原子と衝突しつつ放電を起こしてプラズマを生成させ、このような放電は、相対的に強い電界が形成されるＸ電極２０７及びＹ電極２０６の相互隣接する部分から発生する可能性が高い。
【００８３】
本実施例の場合、Ｘ電極２０７及びＹ電極２０６の相互隣接する部分が放電空間２２０の側面に沿って形成されているので、放電電極の相互隣接する部分が放電空間の上面にだけ形成されている従来技術に比べて、放電が発生する可能性が大幅増加する。時間が過ぎても２つの電極間の電圧差を相変らず十分に大きく維持させれば、図７Ｂに示されたように、２つの電極の面間に形成された電界が次第に強く集中することによって、放電が放電空間２２０の全体に拡散される。本実施例での放電は、放電空間２２０の４つの側面でリング状に発生して中央部に拡散される。一方、従来技術における放電は、放電空間２２０の１つの上面から発生して中央部に拡散されるので、本実施例での放電は、従来技術での放電に比べてその拡散範囲が大幅広くなる。
【００８４】
また、本実施例で放電によって発生するプラズマは、放電空間２２０の側面に沿ってリング状に形成された後に中央部に拡散されるので、その体積が大幅増大して可視光線の量が大幅増大し、プラズマが放電空間２２０の中央部に集中するにつれて空間電荷を活用できて低電圧駆動が可能になり、発光効率が向上する効果を得られる。また、プラズマが放電空間２２０の中央部に集中し、放電電極２０６、２０７による電界がプラズマの両側面側に形成されるので、電荷が放電空間２２０の中央部に集中して蛍光体２１０へのイオンスパッタリングを源泉的に防止できる。このように中央部に拡散された放電は、図７Ｃのように完了される。
【００８５】
一旦、このような放電が形成された後にＸ電極２０７とＹ電極２０６間の電圧差が放電電圧より低くなれば、放電はこれ以上発生せず、空間電荷及び壁電荷が放電空間２２０に形成される。この時、Ｘ電極２０７とＹ電極２０６とに印加された電圧の極性を各々取り替えれば、図７Ｄに示されたように、壁電荷の助けを受けて再び放電が発生する。その後には、図７Ａないし図７Ｃに示されたように放電が放電空間２２０の全体に拡散されて消滅される。
【００８６】
そして、Ｘ電極２０７及びＹ電極２０６の極性を再び取り替えれば、最初の放電過程が反復される。このような過程を反復しつつ放電を安定的に発生させる。
【００８７】
このように放電が維持される全過程で分かるように、Ｘ電極２０７とＹ電極２０６間には交流電圧が印加される。
【００８８】
しかし、本発明で放電は、必ずしもこれに限定されず、当業者が理解できる範囲内で多様な放電が可能である。
【実施例２】
【００８９】
本発明の実施例２によるプラズマディスプレイパネル５００の放電空間５２０は、図８Ａないし図９に示されている。
【００９０】
図８Ａ及び図８Ｂを参照すれば、実施例２によるプラズマディスプレイパネル５００の一つの放電空間５２０は、放電電極であるＸ電極５０７とＹ電極５０８とが隔壁５０５自体に位置せず、隔壁５０５の高さ方向に延長された位置で隔壁５０５と前面基板５０１間に配置されている。すなわち、実施例２の放電空間５２０は、実施例１の放電空間２２０と異なり、隔壁５０５だけで形成されず、隔壁５０５とそれに対応して接する側壁５１５とで形成される。
【００９１】
前記隔壁５０５の側面には、蛍光体５１０が塗布されており、前記側壁５１５の内部にはＸ電極５０７及びＹ電極５０６が上下に埋め立てられた誘電層５０８があり、前記側壁５１５の外側面には保護膜５０９が形成されている。前記側壁５１５は、隔壁５０５から延長されることもあるが、前面基板５０１に延長されて隔壁５０５と結合されることが望ましい。また、本実施例では、後面基板５０２に形成されたアドレス電極５０３と直交する方向に配置されたＸ電極５０７とＹ電極５０６とが、図８Ｂに示されたように二重に配置されている。図９は、Ｙ電極５０６の配列状態を示している。
【００９２】
本実施例によるプラズマディスプレイパネル５００は、放電が発生する放電空間５２０の上部が下部より相対的に狭い空間になっているので、放電の拡散によるプラズマの集中が容易になされて発光効率を向上させうる。
【００９３】
この以外に、他の部分は、前述した実施例１の構成と類似した構成を有する。
【実施例３】
【００９４】
本発明の実施例３によるプラズマディスプレイパネル６００の一つの放電空間６２０は、図１０Ａ及び図１０Ｂに示されている。
【００９５】
図面を参照すれば、実施例３によるプラズマディスプレイパネル６００の一つの放電空間６２０は、実施例２での放電空間５２０と比較する時に、側壁６１５が四角形ではない円形になっているという点を除いては、ほぼ類似した構造になっている。このような構成を有する実施例３によるプラズマディスプレイパネル６００ではプラズマの集中がさらに容易になる。
【実施例４】
【００９６】
本発明の実施例４によるプラズマディスプレイパネル７００の一つの放電空間７２０は、図１１に示されている。
【００９７】
図面を参照すれば、実施例４によるプラズマディスプレイパネル７００の一つの放電空間７２０は、実施例２での放電空間５２０と比較する時に、側壁７１５の放電面が基板に対して垂直になっていることではなく、傾斜しているという点を除いては、ほぼ類似した構造になっている。このような構成を有する実施例４によるプラズマディスプレイパネル７００では、プラズマの集中及び放電空間７２０の中央部へのプラズマ拡散がさらに容易になる。
【００９８】
以上、本発明を適用した各実施例のプラズマディスプレイパネルは、駆動回路と共に本発明による平板表示装置、例えばプラズマ表示装置に採用されうる。
【００９９】
本発明は、図面に示された実施例を参考として説明されたが、これは例示的なものに過ぎず、当業者なら、このような実施例から多様な変形及び均等な他の実施例が可能であることが分かる。したがって、本発明の真の保護範囲は、特許請求の範囲の技術的思想により決まる。
【産業上の利用可能性】
【０１００】
本発明はガス放電を利用して文字やイメージを表現するプラズマディスプレイパネル、さらに詳細には放電が発生する面が拡大されたプラズマディスプレイパネル及びこれを備えた平板表示装置に使用されうる。
【図面の簡単な説明】
【０１０１】
【図１】従来のプラズマディスプレイパネルの一部を示す分離斜視図である。
【図２Ａ】本発明の一実施例によるプラズマディスプレイパネルの一部を示す分離斜視図である。
【図２Ｂ】図２Ａ中のＡ部分を拡大して示す図面である。
【図３Ａ】図２のプラズマディスプレイパネルの一つの放電空間を示す３ａ−３ａ線断面図である。
【図３Ｂ】図３Ａの３ｂ−３ｂ線断面図である。
【図４Ａ】図３Ａの放電電極の他の実施例を示す断面図である。
【図４Ｂ】図４Ａの４ｂ−４ｂ線断面図である。
【図５Ａ】図３Ａの放電電極のさらに他の実施例を示す断面図である。
【図５Ｂ】図５Ａの５ｂ−５ｂ線断面図である。
【図６】図２の放電電極の連結状態を示す平面図である。
【図７Ａ】図２の放電空間で放電が起る過程を示す断面図である。
【図７Ｂ】図２の放電空間で放電が起る過程を示す断面図である。
【図７Ｃ】図２の放電空間で放電が起る過程を示す断面図である。
【図７Ｄ】図２の放電空間で放電が起る過程を示す断面図である。
【図７Ｅ】図２の放電空間で放電が起る過程を示す断面図である。
【図７Ｆ】図２の放電空間で放電が起る過程を示す断面図である。
【図８Ａ】本発明の他の実施例によるプラズマディスプレイパネルで一つの放電空間を示す断面図である。
【図８Ｂ】本発明の他の実施例によるプラズマディスプレイパネルで一つの放電空間を示す断面図である。
【図９】図８Ａ及び図８Ｂの放電電極の配置状態を示す一部平面図である。
【図１０Ａ】本発明の他の実施例によるプラズマディスプレイパネルで一つの放電空間を示す一部断面図である。
【図１０Ｂ】図１０Ａの１０ｂ−１０ｂ線断面図である。
【図１１】本発明のさらに他の実施例によるプラズマディスプレイパネルで一つの放電空間を各々示す一部断面図である。
【符号の説明】
【０１０２】
２００…プラズマディスプレイパネル、
２０１…前面基板、
２０２…後面基板、
２０３…アドレス電極、
２０４…後面誘電層、
２０５…隔壁、
２２０…放電空間。
【図１】
2005135893.tif 000003
【図２Ａ】
2005135893.tif 000004
【図２Ｂ】
2005135893.tif 000005
【図３Ａ】
2005135893.tif 000006
【図３Ｂ】
2005135893.tif 000007
【図４Ａ】
2005135893.tif 000008
【図４Ｂ】
2005135893.tif 000009
【図５Ａ】
2005135893.tif 000010
【図５Ｂ】
2005135893.tif 000011
【図６】
2005135893.tif 000012
【図７Ａ】
2005135893.tif 000013
【図７Ｂ】
2005135893.tif 000014
【図７Ｃ】
2005135893.tif 000015
【図７Ｄ】
2005135893.tif 000016
【図７Ｅ】
2005135893.tif 000017
【図７Ｆ】
2005135893.tif 000018
【図８Ａ】
2005135893.tif 000019
【図８Ｂ】
2005135893.tif 000020
【図９】
2005135893.tif 000021
【図１０Ａ】
2005135893.tif 000022
【図１０Ｂ】
2005135893.tif 000023
【図１１】
2005135893.tif 000024